(57)【要約】【課題】組み立て及び梱包が容易であり、被梱包物を包装箱内で固定する機能を有する梱包用スペーサを提供する。【解決手段】スペーサ１００は、第１面１３０と、２つの第２面１２０，１５０と、２つの第３面１１０，１５０と、第４面１６０とを有する。第２面は第１面に対して第１の方向に折り曲げられ、第３面は第２の面に対して第１の方向とは反対の第２の方向に折り曲げられる。また、第４面は第３面に対して第１の方向に折り曲げられる。この状態で、第４面に形成された差し込み部１６１が該第４面に連なっていない第３面１１０に形成された差し込み穴１１１，１１２に差し込まれる。これにより、第１面及び第４面のうち一方が包装箱の内面を支える面となり、他方が被梱包物の外面を押さえる面となる。さらに、２つの第２面が第１面の両端から第４面の両端よりも内側に向かって傾斜する。【選択図】図１
2008094441.tif 000002
【特許請求の範囲】
【請求項１】
第１面と、
該第１面の両側に連なった２つの第２面と、
前記２つの第２面に対して、それぞれ前記第１面とは反対側にて連なった２つの第３面と、
前記２つの第３面のうち一方に対して、前記第２面とは反対側に連なった第４面とを有し、
前記第２面が前記第１面に対して第１の方向に折り曲げられ、前記第３面が前記第２の面に対して前記第１の方向とは反対の第２の方向に折り曲げられ、前記第４面が前記第３面に対して前記第１の方向に折り曲げられた状態で、前記第４面に形成された差し込み部が該第４面に連なっていない前記第３面に形成された差し込み穴に差し込まれることにより、
前記第１面及び第４面のうち一方が包装箱の内面を支える面となり、他方が被梱包物の外面を押さえる面となり、かつ前記２つの第２面が前記第１面の両端から前記第４面の両端よりも内側に向かって傾斜した形状をなすことを特徴とする梱包用スペーサ。
【請求項２】
前記各面が連なる方向の寸法を長さとし、該各面が連なる方向に対して直交する方向の寸法を幅とするとき、
１つの前記第２面の長さが前記第１面の長さの半分よりも短く、
１つの前記第３面と前記第４面の長さの合計が、前記第１面の長さ以下であり、
１つの前記第３面と前記第４面の長さの合計が、前記第１面の長さから前記スペーサの幅に相当する長さを引いて得られる長さよりも長いことを特徴とする請求項１に記載の梱包用スペーサ。
【請求項３】
前記差し込み穴が前記第４面に連なっていない第３面に複数形成されており、
前記差し込み部を差し込む差し込み穴を変えることにより、前記第１面と前記第４面との間の距離が変化することを特徴とする請求項１又は２に記載の梱包用スペーサ。
【請求項４】
該梱包用スペーサは、段ボール板により形成されていることを特徴とする請求項１から３のいずれか１つに記載の梱包用スペーサ。
【請求項５】
請求項１から４のいずれか１つに記載の梱包用スペーサと、
該梱包用スペーサとともに被梱包物を収容する包装箱とを有することを特徴とする梱包セット。
【発明の詳細な説明】
【技術分野】
【０００１】
本発明は、電子機器等の被梱包物とともに包装箱内に収納され、包装箱と被梱包物との間の隙間を埋める梱包用スペーサに関する。
【背景技術】
【０００２】
電子機器等の被梱包物を収納する包装箱は、その被梱包物を保護するために使用される。被梱包物には大きさや高さの違いがあり、被梱包物と包装箱の内面との間に隙間が生じることが多い。このような隙間があると、包装箱内で被梱包物が動き、運搬に不都合なだけではなく、包装箱内での傷つきや破損の原因となる。さらに、振動や落下等の衝撃を直接受けて破損したり故障したりし易くなる。このため、この隙間を埋めて被梱包物の包装箱内でのがたつきを無くするために、紙片、樹脂発泡体、空気封入シート等が用いられる。
【０００３】
但し、紙片を用いる場合は、多くの紙片を包装箱内に収納する必要があり、作業に手間が掛かる。また、樹脂発泡体や空気封入シートは、リサイクルが容易ではなく、環境面において好ましくない。
【０００４】
これらに対し、作業性を改善し、リサイクルも容易とするため、段ボール紙製のスペーサ（緩衝材）が特許文献１に開示されている。このスペーサは、段ボール紙を折り丸めて角筒状とし、両側面を内側にＶ字形状に折り込んで、その折り目の弾性によって伸縮及び変形可能としたものである。
【特許文献１】特開２００２−１２２７０号公報（段落００１０〜００１３、図１〜３等）
【発明の開示】
【発明が解決しようとする課題】
【０００５】
しかしながら、特許文献１にて開示されたスペーサは、弾性的に上下方向に伸縮及び変形する、すなわち弾性変形によって高さが変化する。このため、被梱包物の上下に配置した場合に、該被梱包物を包装箱内で上下方向にて固定することは難しい。
【０００６】
本発明は、組み立て及び梱包が容易であり、被梱包物を包装箱内で固定する機能を有する梱包用スペーサを提供することを目的の１つとする。
【課題を解決するための手段】
【０００７】
本発明の一側面としての梱包用スペーサは、第１面と、該第１面の両側に連なった２つの第２面と、該２つの第２面に対して、それぞれ第１面とは反対側にて連なった２つの第３面と、該２つの第３面のうち一方に対して、第２面とは反対側に連なった第４面とを有する。第２面が第１面に対して第１の方向に折り曲げられ、第３面が第２の面に対して第１の方向とは反対の第２の方向に折り曲げられ、第４面が第３面に対して第１の方向に折り曲げられた状態で、第４面に形成された差し込み部が該第４面に連なっていない第３面に形成された差し込み穴に差し込まれる。これにより、第１面及び第４面のうち一方が包装箱の内面を支える面となり、他方が被梱包物の外面を押さえる面となる。さらに、２つの第２面が第１面の両端から第４面の両端よりも内側に向かって傾斜した形状をなす。
【０００８】
なお、上記スペーサと、これとともに被梱包物を収納する包装箱とを含む梱包セットも本発明の他の側面を構成する。
【発明の効果】
【０００９】
本発明によれば、組み立て及び梱包が容易であり、被梱包物を包装箱内で確実に固定できる梱包用スペーサを実現することができる。
【発明を実施するための最良の形態】
【００１０】
以下、本発明の好ましい実施例について図面を参照しながら説明する。
【００１１】
図１には、本発明の実施例であるスペーサ１００を示す。また、図２には、スペーサ１００を展開して示す。
【００１２】
図２において、スペーサ１００は、１枚の段ボール紙により形成され、第１面としての底面部１３０と、該底面部１３０の両側に連なった第２面としての左斜面部１２０及び右斜面部１４０とを有する。また、該斜面部１２０，１４０に対してそれぞれ底面部１３０とは反対側に連なった第３面としての左上面部１１０及び右上面部１５０を有する。さらに、右上面部１５０に対して右斜面部１４０とは反対側に連なった第４面としての右最上面部１６０を有する。
【００１３】
左上面部１１０には、上記各面部が連なる方向に並んだ２つの差し込み穴１１１，１１２を有する。また、右最上面部１６０における右上面部１５０とは反対側の端部には、差し込み穴１１１，１１２のうち１つに差し込まれる差し込み片１６１が形成されている。
【００１４】
各面部の間には折り曲げ線Ａ又はＢが形成されている。図２に示す底面部１３０が図１に示す状態で上向きの面になる場合、折り曲げ線Ａは谷折り線（第１の方向への折り曲げ線）がなされ、折り曲げ線Ｂは山折り線（第２の方向への折り曲げ線）となる。
【００１５】
すなわち、左斜面部１２０及び右斜面部１４０は、底面部１３０に対して谷折りで折り曲げられる。また、左上面部１１０及び右上面部１５０はそれぞれ、左斜面部１２０及び右斜面部１４０に対して山折りで折り曲げられる。さらに、右最上面部１６０は、右上面部１５０に対して山折りで折り曲げられる。そして、差し込み片１６１が、左上面部１１０に形成された差し込み穴１１１，１１２のいずれかに差し込まれると、図１のような立体形状に組み立てられる。図１は、差し込み片１６１が差し込み穴１１１に差し込まれた状態を示している。
【００１６】
右最上面部１６０と左上面部１１０はスペーサ１００の上平面を構成し、底面部１３０はスペーサ１００の下平面を構成する。また、左上面部１１０及び右上面部１５０は、底面部１３０の両端から右最上面部１６０の両端よりも内側に向かって傾斜している。
【００１７】
このように組み立てられたスペーサ１００を各折り曲げ線を延長した方向から見ると、台形形状に見える。具体的には、互いに平行な下辺（底面部１３０）及び上辺（右最上面部１６０，左上面部１１０）と、これらに対して等角度で傾斜した２つの斜辺（左斜面部１２０，右斜面部１４０）を有する台形形状である。
【００１８】
但し、上辺は、２つの斜辺の上端位置から外側に延出している。
【００１９】
図３に示すように、包装箱３００内に収納された被梱包物２００の上面に置かれる。
【００２０】
スペーサ１００の右最上面部１６０と左上面部１１０が、包装箱３００の上部で開閉される上内フラップ（上面）３２１，３４１を支える面となり、底面部１３０がその下側に配置された被梱包物２００の外面（上面）を押さえる面となる。
【００２１】
また、左斜面部１２０及び右斜面部１４０は、右上面部１５０、左上面部１１０及び右最上面部１６０を特定の高さで支える機能を有する。
【００２２】
スペーサ１００の上下面間に圧縮荷重が加わると、左斜面部１２０及び右斜面部１４０の傾斜によって、右最上面部１６０と左上面部１１０には互いに面内方向において近づく方向（重なり合う方向）に力が加わる。この力は、差し込み片１６１と左上面部１１０における差し込み穴との係合により受け止められるため、右上面部１５０、左上面部１１０及び右最上面部１６０の高さ（すなわち、スペーサの高さ）は維持される。
【００２３】
これにより、包装箱３００の上面が閉じられた状態で被梱包物２００が内部でがたつくことを抑制することができる。
【００２４】
差し込み穴１１１，１１２のうち、差し込み片１６１を差し込む穴を変更することで、スペーサの高さを変更することができる。
【００２５】
底面部１３０は、前述した包装箱３００の内寸法に対して若干小さな寸法を有する。言い換えれば、被梱包物２００の上面とほぼ同じ寸法を有する。底面部１３０で被梱包物２００の上面のほぼ全体を押えることによって、被梱包物２００のがたつきを効果的に抑えることができる。
【００２６】
図２に示すように、底面部１３０は、各面部が連なった方向に長さａを有する。また、左斜面部１２０及び右斜面部１４０は長さｂを有する。この場合、ｂはａの半分よりも短い（ｂ＜ａ／２）。これは、ｂがａの半分よりも長いと、スペーサ１００を前述したバランスの良い台形形状に保てず、包装箱３００内で被梱包物２００を均等に押さえることができなくなるからである。
【００２７】
また、左上面部１１０及び右上面部１５０は、長さｃを有する。さらに、右最上面部１６０は長さｄを有する。この場合、ｃとｄを合わせた長さは、ａ以下である（ｃ＋ｄ≦ａ）。これは、ｃ＋ｄがａよりも長いと、スペーサ１００が包装箱３００に入らないからである。
【００２８】
また、各面部（スペーサ１００）の幅、すなわち各面部が連なった方向に対して直交する面内方向の寸法はｅである。この場合、ｃとｄを合わせた長さは、ａからｅを引いた長さよりも長い（ｃ＋ｄ＞ａ−ｅ）。これは、ｃ＋ｄがａ−ｅよりも短いと、包装箱３００の上内フラップ３２１，３４１により、スペーサ１００を介して被梱包物２００を押圧することができなくなり、被梱包物２００のがたつきを確実に抑えることができなくなるためである。
【００２９】
次に、図３及び図６を用いて、スペーサ１００とともに梱包セットを構成する包装箱３００について説明する。包装箱３００の外観右側面を構成する右側面部３２０は、その側部及び下部において、外観前面を構成する前面部３３０及び底内フラップ３２２と折り曲げ線を介して連なっている。また、右側面部３２０は、後面部３１０に連なって形成された接続部３５０に接着される。また、右側面部３２０上部には、折り曲げ線を介して上内フラップ３２１が連なっている。
【００３０】
また、包装箱３００の外観左側面を構成する左側面部３４０は、その両側部において前面部３３０と後面部３１０と折り曲げ線を介して連なっている。また、左側面部３４０は、その下部において底内フラップ３４２と折り曲げ線を介して連なっている。また、左側面部３４０の上部には、折り曲げ線を介して上内フラップ３４１が連なっている。
【００３１】
前面部３３０の上部及び下部にはそれぞれ、折り曲げ線を介して上外フラップ３３１と底外フラップ３３２が連なっている。また、後面部３１０の上部及び下部にはそれぞれ、折り曲げ線を介して上外フラップ３１１と底外フラップ３１２が連なっている。
【００３２】
上内フラップ３２１，３４１及び底内フラップ３２２，３４２が閉じられた後、上外フラップ３１１，３３１及び底外フラップ３１２，３３２が閉じられて、包装箱３００内部が密封される。これにより、外部からの埃やゴミ等の異物の侵入が防止される。また、上内フラップ３２１，３４１は、スペーサ１００の右最上面部１６０及び左上面部１１０を押さえる機能を有する。
【００３３】
以上のように構成された包装箱３００内に被梱包物２００を収容し、被梱包物２００上にスペーサ１００を載せて４つの上フラップを閉じることにより、上内フラップ３２１，３４１でスペーサ１００の右最上面部１６０と左上面部１１０が押さえ付けられる。スペーサ１００は、底面部１３０で被梱包物２００の上面を押さえ付ける。これにより、被梱包物２００のがたつきを抑えた状態で被梱包物２００を包装箱３００内に収納することができる。したがって、被梱包物２００の包装箱３００内での移動による傷つきや、振動や落下等の衝撃による破損、故障の発生を抑えることができる。
【００３４】
また、前述したように、差し込み穴１１１，１１２のうち差し込み片１６１を差し込む穴を変えることで、スペーサ１００の高さを変えることができる。図１及び図５Ａには、差し込み片１６１を差し込み穴１１１に差し込んだ状態を示している。この場合、スペーサ１００の高さはｆとなり、高さｇを有する被梱包物２００に対応する。
【００３５】
一方、図４及び図５Ｂには、差し込み片１６１を差し込み穴１１２に差し込んだ状態を示している。この場合、スペーサ１００の高さはｆよりも高い高さｆ′となり、ｇよりも低い高さｇ′を有する被梱包物２１０に対応できる。
【００３６】
このように、本実施例のスペーサ１００は、高さが異なる被梱包物２００，２１０にもフレキシブルに対応することができる。これにより、被梱包物の高さが異なっても同じスペーサ１００及び包装箱３００を使用することができるので、梱包に要するコストを軽減したり梱包作業の標準化を図ったりすることができる。
【００３７】
また、被梱包物と包装箱の隙間を埋めて、被梱包物のがたつきが抑えられるので、振動、落下による品質問題の発生を防ぐことができる。
【００３８】
なお、本発明のスペーサは、上記実施例にて説明した形状に限られず、様々な変形や変更が可能である。
【００３９】
また、上記実施例では、スペーサ１００を、右最上面部（第４面）１６０と左上面部（第３面）１１０を上面として用いる場合について説明した。しかし、本発明のスペーサは、第４面及び第３面を底面として（つまり上下を逆にして）用いてもよいし、これらの面を側面として（つまり横に倒して）使用してもよい。
【図面の簡単な説明】
【００４０】
【図１】本発明の実施例であるスペーサを示す斜視図。
【図２】実施例のスペーサの展開図。
【図３】包装箱内に被梱包物と実施例のスペーサとを入れた状態を示す斜視図。
【図４】実施例のスペーサの高さを変更した状態を示す斜視図。
【図５Ａ】図１に示す高さを有するスペーサと被梱包物を包装箱に収納した状態を示す模式図。
【図５Ｂ】図４に示す高さを有するスペーサと被梱包物を包装箱に収納した状態を示す模式図。
【図６】図３に示した包装箱の展開図。
【符号の説明】
【００４１】
１００  スペーサ
１１０  左上面部
１１１，１１２  差し込み穴
１２０  左斜面部
１３０  底面部
１４０  右斜面部
１５０  右上面部
１６０  右最上面部
１６１  差し込み片
２００，２１０  被梱包物
３００  包装箱
【図２】
2008094441.tif 000003
【図１】
2008094441.tif 000004
【図３】
2008094441.tif 000005
【図４】
2008094441.tif 000006
【図５Ａ】
2008094441.tif 000007
【図５Ｂ】
2008094441.tif 000008
【図６】
2008094441.tif 000009